(57)【要約】【課題】液晶画面の保護部材をスマートデバイスの液晶画面に容易く効率的に付着することのできるスマートデバイスのディスプレイ保護部材の付着装置およびその付着方法を提供する。【解決手段】スマートデバイスの液晶画面の保護部材の付着装置およびその付着方法を開示する。本発明のスマートデバイスの液晶画面の保護部材の付着装置は、スマートデバイスが収容される収容溝が設けられたベース部と；収容溝に収容されたスマートデバイスを覆うようにベース部に結合するカバー部；およびベース部に設けられた結合部に脱着可能に結合してスマートデバイスに付着される液晶画面の保護部材の一側部を支持するリフティング支持部とを含み、リフティング支持部を結合部から分離すると、液状粘着部材が置かれたスマートデバイスの液晶画面に液晶画面の保護部材が落ちて、液晶画面に付着されることを特徴とする。【選択図】図１
2019032502.tif 000002
【特許請求の範囲】
【請求項１】
スマートデバイスが収容される収容溝が設けられたベース部と；
前記収容溝に収容された前記スマートデバイスを覆うように前記ベース部に結合するカバー部；および
前記ベース部に設けられた結合部に脱着可能に結合し、前記スマートデバイスに付着される液晶画面の保護部材の一側部を支持するリフティング支持部とを含み、
前記リフティング支持部を前記結合部から分離すると、液状粘着部材が置かれた前記スマートデバイスの液晶画面に前記液晶画面の保護部材が落ちて、前記液晶画面に付着される
ことを特徴とするスマートデバイスの液晶画面の保護部材の付着装置。
【請求項２】
前記ベース部は、
前記収容溝が設けられるベースボディー；および
前記ベースボディーの一側部に設けられ、前記リフティング支持部が脱着可能に結合する前記結合部を含む
請求項１に記載のスマートデバイスの液晶画面の保護部材の付着装置。
【請求項３】
前記ベースボディーの上面部には、前記カバー部が安着される段差溝が設けられる
ことを特徴とする請求項２に記載のスマートデバイスの液晶画面の保護部材の付着装置。
【請求項４】
前記カバー部は、
前記ベースボディーの上面部に脱着可能に結合し、中央部に開口孔が設けられたカバーボディーと；
前記開口孔の端に上部方向に突出するように設けられる縁部とを含み、
前記縁部には、前記結合部に結合する前記リフティング支持部の一側部が前記開口孔に進入されるように案内する切開部が設けられる
ことを特徴とする請求項２に記載のスマートデバイスの液晶画面の保護部材の付着装置。
【請求項５】
前記リフティング支持部は、
前記結合部に脱着可能に結合するリフティング支持ボディー；および
前記リフティング支持ボディーに設けられ、前記リフティング支持ボディーの移動距離を制限するストッパーを含む
請求項１に記載のスマートデバイスの液晶画面の保護部材の付着装置。
【請求項６】
前記リフティング支持部は、
前記リフティング支持ボディーに設けられる取っ手をさらに含む
請求項５に記載のスマートデバイスの液晶画面の保護部材の付着装置。
【請求項７】
前記ベース部に脱着可能に結合し、前記収容溝に収容された前記スマートデバイスの液晶画面に液状粘着部材を注入させる粘着部材注入部をさらに含む
請求項１に記載のスマートデバイスの液晶画面の保護部材の付着装置。
【請求項８】
収容溝が設けられたベース部の前記収容溝にスマートデバイスを安着させる段階と；
前記スマートデバイスの液状画面に液状粘着部材を落とす段階；および
前記ベース部の結合部に脱着可能に結合し、液晶画面の保護部材の一側部を支持するリフティング支持部を前記結合部から分離させて、前記液晶画面の保護部材を前記液晶画面に付着させる段階とを含む
スマートデバイスの液晶画面の保護部材の付着方法。
【発明の詳細な説明】
【技術分野】
【０００１】
本発明は、スマートデバイスの液晶画面の保護部材の付着装置およびその付着方法に関する。より詳しくは、液状粘着部材を用いて、液晶画面の保護部材をスマートデバイスの液晶画面に容易くて効率的に付着することのできるスマートデバイスの液晶画面の保護部材の付着装置およびその付着方法に関する。
【背景技術】
【０００２】
最近のスマートデバイス（Ｍｏｂｉｌｅ／Ｔａｂｌｅｔ）は、高価な製品であり、前面にディスプレイ部、即ち、フラット（Ｆｌａｔ）、または、２．５Ｄ、３Ｄのカバーガラス（Ｃｏｖｅｒ  Ｇｌａｓｓ）を適用して、タッチパネル（Ｔｏｕｃｈ  Ｐａｎｅｌ）を保護している仕組みである。こうようなカバーガラスは、物理的衝撃、または、落下などの要因によって、損傷、または、破損される危険性が高い。
【０００３】
カバーガラスが損傷、または、破損され、修理する場合、スマートデバイスの約３０〜４０％くらいの費用が所要され、修理のために少なくとも二時間ないし二日まで、相当の時間が所要される。また、外見がよくなく、表面が鋭くて、怪我および動作不良を誘発することもある。
【０００４】
しかし、スマートデバイスのカバーガラスが損傷、または、破損する場合、高価な修理費用によって、前述の不便さや危険性を甘んじて使う場合が頻繁であり、スクラッチなどの小さい損傷は無視する場合が多い。
【０００５】
従って、一般消費者でもスマートデバイスの液晶画面に容易く保護ガラスや保護フィルムを付着することができる改善策が要求される。
前述の技術構成は、本発明の理解を深めるための背景技術であって、本発明の属する技術分野で広く知られた従来の技術を意味するものではない。
【先行技術文献】
【特許文献】
【０００６】
【特許文献１】韓国登録特許公報第１０‐１２５２７５０号（株式会社ＤＡＳＴＥＫ）２０１３年０４月０３日
【発明の概要】
【発明が解決しようとする課題】
【０００７】
従って、本発明が成し遂げようとする技術的課題は、液状粘着部材を用いて、液晶画面の保護部材をスマートデバイスの液晶画面に容易く効率的に付着することのできるスマートデバイスのディスプレイ保護部材の付着装置およびその付着方法を提供することである。
【課題を解決するための手段】
【０００８】
本発明の一側面によると、スマートデバイスが収容される収容溝が設けられたベース部と；前記収容溝に収容された前記スマートデバイスをかぶせるように前記ベース部に結合するカバー部と；および前記ベース部に設けられた結合部に脱着可能に結合し、前記スマートデバイスに付着される液晶画面の保護部材の一側部を支持するリフティング支持部とを含み、前記リフティング支持部を前記結合部から分離すると、液状粘着部材が置かれた前記スマートデバイスの液晶画面へ前記液晶画面の保護部材が落ちて、前記液晶画面に付着されることを特徴とするスマートデバイスの液晶画面の保護部材の付着装置が提供されることができる。
【０００９】
前記ベース部は、前記収容溝が設けられるベースボディー；および前記ベースボディーの一側部に設けられ、前記リフティング支持部が脱着可能に結合する前記結合部とを含むことができる。
【００１０】
前記ベースボディーの上面部には、前記カバー部が安着される段差溝が設けられることができる。
【００１１】
前記カバー部は、前記ベースボディーの上面部に脱着可能に結合され、中央部に開口孔が設けられたカバーボディーと；前記開口孔の端に上部方向に突出するように設けられる縁部とを含み、前記縁部には、前記結合部に結合する前記リフティング支持部の一側部が前記開口孔に進入されるように案内する切開部が設けられることができる。
【００１２】
前記リフティング支持部は、前記結合部に脱着可能に結合するリフティング支持ボディー；および前記リフティング支持ボディーに設けられ、前記リフティング支持ボディーの移動距離を制限するストッパーとを含むことができる。
【００１３】
前記リフティング支持部は、前記リフティング支持ボディーに設けられる取っ手をさらに含むことができる。
【００１４】
前記ベース部に脱着可能に結合し、前記収容溝に収容された前記スマートデバイスの液晶画面に液状粘着部材を注入させる粘着部材注入部をさらに含むことができる。
【００１５】
また、本発明の他の側面によると、収容溝が設けられたベース部の前記収容溝にスマートデバイスを安着させる段階と；前記スマートデバイスの液状画面に液状粘着部材を落とす段階；および前記ベース部の結合部に脱着可能に結合し、液晶画面の保護部材の一側部を支持するリフティング支持部を前記結合部から分離させて、前記液晶画面の保護部材を前記液晶画面に付着させる段階とを含むスマートデバイスの液晶画面の保護部材の付着方法を提供することができる。
【発明の効果】
【００１６】
本発明の実施例等は、リフティング支持部を結合部から分離すると、液状粘着部材が置かれたスマートデバイスの液晶画面に液晶画面の保護部材が落とされて、液晶画面に付着するため、液晶画面の保護部材を容易くて安定的に付着することができる。
【図面の簡単な説明】
【００１７】
【図１】本発明の一実施例によるスマートデバイスの液晶画面の保護部材の付着装置を概略的に図示した図面である。
【図２】図１でリフティング支持部が分離されたことを図示した図面である。
【図３】図１の分解斜視図である。
【図４】本実施例の使用状態であり、液晶画面の保護部材をリフティング支持部に支持させる前の状態を図示した図面である。
【図５】本実施例の使用状態であり、液晶画面の保護部材の一側部をリフティング支持部に支持させたものを図示した図面である。
【図６】図５からリフティング支持部を分離させたものを図示した図面である。
【発明を実施するための形態】
【００１８】
本発明と本発明の動作上のメリットおよび本発明の実施によって達成される目的を十分理解するためには、本発明の好ましい実施例を例示する添付図面および添付図面に記載の内容を参照しなければならない。
以下、添付の図面を参照し、本発明の好ましい実施例を説明することによって、本発明を詳しく説明する。各図面に提示された同一の参照符号は、同一の部材を示す。
【００１９】
本実施例でスマートデバイスは、スマートフォンやタブレットを含み、液晶画面の保護部材は、保護ガラスや保護フィルムを含むことができる。
【００２０】
図１は、本発明の一実施例によるスマートデバイスの液晶画面の保護部材の付着装置を概略的に図示した図面であり、図２は、図１からリフティング支持部が分離されたものを図示した図面であり、図３は、図１の分解斜視図である。
【００２１】
これら図面に図示されたように、本実施例によるスマートデバイスの液晶画面の保護部材の付着装置１は、スマートデバイスＳが収容される収容溝１１１が設けられたベース部１００と、ベース部１００に結合するカバー部２００と、ベース部１００に設けられた結合部１３０に脱着可能に結合してスマートデバイスＳに付着される液晶画面の保護部材Ｐの一側部を支持するリフティング支持部３００と、ベース部１００に脱着可能に結合して収容溝１１１に収容されたスマートデバイスＳの液晶画面に液状粘着部材を注入させる粘着部材注入部４００とを備える。
【００２２】
ベース部１００は、図４に図示のように、スマートデバイスＳが安定的に収容される場所として提供されるものであって、図３に図示のように、収容溝１１１が設けられたベースボディー１１０と、ベースボディー１１０の上側部に離隔して設けられる一対の両脚部１２０と、ベースボディー１１０の一側部に設けられ、リフティング支持部３００の脱着結合場所として提供される結合部１３０とを含む。
【００２３】
ベース部１００のベースボディー１１０は、図３に図示のように、横方向に長く設けられる平たい六面体の形状を有することができて、端を除いた領域には、スマートデバイスＳが収容される収容溝１１１が設けられることができる。
【００２４】
本実施例でベースボディー１１０の上面部には、図３に図示のように、段差溝１１２と結合両脚部１１３とが設けられることができる。
本実施例で段差溝１１２には、図１に図示のように、カバーボディー２１０が収容されることができて、結合両脚部１１３には、結合孔２１１が設けられたカバーボディー２１０が結合し、位置固定することができる。
【００２５】
ベース部１００の一対の両脚部１２０には、図１に図示のように、ブッシング４２０の端部が脱着可能に嵌込み結合することができる。
本実施例で一対の両脚部１２０は、図３に図示の突出した形ではなく、ベースボディー１１０の下部方向に凹んだ陰刻の形で設けられることもできる。
【００２６】
ベース部１００の結合部１３０は、図３に図示のように、ベースボディー１１０の長さ方向の一側端に設けられ、リフティング支持部３００の脱着結合場所として提供されることができる。
【００２７】
本実施例で結合部１３０は、図３に図示のように、段差溝１１２の上面部に設けられ、中央部が切開された結合ボディー１３１と、結合ボディー１３１の切開された中央部に設けられる結合溝１３２とを含む。
【００２８】
本実施例でリフティング支持部３００は、結合溝１３２に脱着可能に嵌込み結合することができる。
【００２９】
カバー部２００は、図３に図示のベースボディー１１０の段差溝１１２に結合し、ベースボディー１１０の上部領域を覆う。
【００３０】
本実施例でカバー部２００は、図３に図示のように、ベースボディー１１０に対応する形を有し、中央部が開口したカバーボディー２１０と、カバーボディー２１０の開口した中央部に上部方向に突出するように設けられる縁部２２０と、結合部１３０が配置された領域の縁部２２０に設けられ、リフティング支持ボディー３１０の移動通路で提供される切開部２３０とを含む。
【００３１】
カバー部２００のカバーボディー２１０には、図３に図示のように、複数の結合孔２１１と、結合部通過孔２１２と複数の両脚部通過孔２１３とが設けられる。
【００３２】
本実施例でカバーボディー２１０は、複数の結合孔２１１が複数の結合両脚部１１３に結合し、結合部通過孔２１２に結合部１３０が通過し、複数の両脚部通過孔２１３に複数の両脚部１２０が通過されて支持されるため、結合した位置を安定的に維持することができる。
【００３３】
リフティング支持部３００は、図１に図示のように、結合部１３０に結合し、図５に図示のように、液晶画面の保護部材Ｐの一側部がスマートデバイスＳの液晶画面の上面部からリフティングされるように液晶画面の保護部材Ｐの一側部を支持する。
【００３４】
本実施例でリフティング支持部３００は、図２に図示のように、平たい板状を有して、端が結合溝１３２に嵌込み結合するリフティング支持ボディー３１０と、リフティング支持ボディー３１０の両側端に設けられ、図１に図示のようにリフティング支持ボディー３１０の移動距離、即ち、挿入の深さを制限するストッパー３２０と、リフティング支持ボディー３１０に設けられる取っ手３３０とを含む。
【００３５】
粘着部材注入部４００は、ベースボディー１１０の収容溝１１１に収容されたスマートデバイスＳの液晶画面に液状粘着部材を注入させる役割をする。
【００３６】
本実施例で粘着部材注入部４００は、図１に図示のように、容器４１０と、上側部には容器４１０が結合し、下側部は一対の両脚部１２０に嵌込み結合するブッシング４２０とを含む。
【００３７】
粘着部材注入部４００の容器４１０には、液晶画面の保護部材ＰをスマートデバイスＳの液晶画面に付着させる液状粘着部材、例えば、公知の液状粘着剤が保管されることができる。
【００３８】
本実施例で容器４１０は、ブッシング４２０にネジ結合することができる。
【００３９】
粘着部材注入部４００のブッシング４２０は、一対の両脚部１２０に嵌込み結合することができて、ブッシング４２０の中央部には孔が設けられ、容器４１０に保管された液状粘着部材は、ブッシング４２０の孔を介して液晶画面に落ちることができる。
【００４０】
一方、未図示だが、本実施例は、スマートデバイスＳの液晶画面に付着された液晶画面の保護部材Ｐを硬化させる硬化部をさらに含むことができる。
【００４１】
本実施例で硬化部は、スマートデバイスＳに付着された液晶画面の保護部材Ｐを、公知の紫外線を用いて硬化させるか、公知の加熱手段を用いて硬化させることもできる。
【００４２】
図４は、本実施例の使用状態で液晶画面の保護部材をリフティング支持部に支持させる前の状態を図示した図面であり、図５は、本実施例の使用状態で液晶画面の保護部材の一側部をリフティング支持部に支持させたものを図示した図面であり、図６は、図５からリフティング支持部を分離させたものを図示した図面である。
【００４３】
以下で、図４ないし図６を参考して、本実施例の使用状態を簡略に説明する。
【００４４】
まず、図４に図示のように、ベースボディー１１０にスマートデバイスＳを収容した後、結合部１３０にリフティング支持部３００を結合させる。
【００４５】
次に、スマートデバイスＳの液晶画面に図１に図示の粘着部材注入部４００を用いて、液状粘着部材を落とす。
【００４６】
その次に、図４に図示の液晶画面の保護部材ＰをスマートデバイスＳの液晶画面に付着されるように配置させる。この時、液晶画面の保護部材Ｐの一側部は、図５に図示のように、リフティング支持ボディー３１０によってスマートデバイスＳの液晶画面の上面部から離隔されるように支持される。
【００４７】
最後に、図６に図示のように、リフティング支持部３００を結合部１３０から分離させると、リフティングされた液晶画面の保護部材Ｐの一側部が液晶画面に落ちて、液晶画面の保護部材Ｐは、スマートデバイスＳの液晶画面に付着されることができる。
【００４８】
この時、液晶画面の上面部にある液状粘着部材は、一側部が支持されたリフティング支持部３００が落ちることによって、液晶画面の上面部に広まって、または、流れて移動されるため、液晶画面の保護部材Ｐと液状粘着部材が接触中に発生するかも知れない気泡を最少化させることができる。
【００４９】
以上のように、本実施例は、リフティング支持部を結合部から分離すると、液状粘着部材が置かれたスマートデバイスの液晶画面に液晶画面の保護部材が落ちて、液晶画面に付着されるため、液晶画面の保護部材を容易く安定的に付着することができる。
【００５０】
このように、本発明は、記載の実施例に限られることなく、本発明の事象及び範囲を外れることなく、様々な修正および変形ができることは、本技術分野で通常の知識を有する者には自明である。従って、そういった修正例、または、変形例は、本発明の特許請求の範囲に属するというべきである
【符号の説明】
【００５１】
１：スマートデバイスの液晶画面の保護部材の付着装置
１００：ベース部
１１０：ベースボディー
１１１：収容溝
１１２：段差溝
１１３：結合両脚部
１２０：両脚部
１３０：結合部
１３１：結合ボディー
１３２：結合溝
２００：カバー部
２１０：カバーボディー
２１１：結合孔
２１２：結合部通過孔
２１３：両脚部通過孔
２２０：縁部
２３０：切開部
３００：リフティング支持部
３１０：リフティング支持ボディー
３２０：ストッパー
３３０：取っ手
４００：粘着部材注入部
４１０：容器
４２０：ブッシング
Ｐ：液晶画面の保護部材
Ｓ：スマートデバイス
【図１】
2019032502.tif 000003
【図２】
2019032502.tif 000004
【図３】
2019032502.tif 000005
【図４】
2019032502.tif 000006
【図５】
2019032502.tif 000007
【図６】
2019032502.tif 000008
【手続補正書】
【提出日】平成30年8月2日(2018.8.2)
【手続補正１】
【補正対象書類名】特許請求の範囲
【補正対象項目名】請求項８
【補正方法】変更
【補正の内容】
【請求項８】
収容溝が設けられたベース部の前記収容溝にスマートデバイスを安着させる段階と；
前記スマートデバイスの液晶画面に液状粘着部材を落とす段階；および
前記ベース部の結合部に脱着可能に結合し、液晶画面の保護部材の一側部を支持するリフティング支持部を前記結合部から分離させて、前記液晶画面の保護部材を前記液晶画面に付着させる段階とを含む
スマートデバイスの液晶画面の保護部材の付着方法。